(57)【要約】【課題】光送受信器接続モジュールを提供することにあり、それはＳＣ光送受信器とＳＣ及びＭＵ規格の光ファイバコネクタとの間の接続に適用することができる。【解決手段】光送受信器接続モジュールであり、光送受信器（ｏｐｔｉｃａｌｔｒａｎｓｃｅｉｖｅｒ）を異なる規格の光ファイバコネクタ（ｃｏｎｎｅｃｔｏｒ）に接続する。前記モジュールには第１規格光送受信器のケーシングとアダプタとが含まれ、ケーシングには第１規格接続ポートが備わり、同一規格のコネクタに接続することができ、アダプタの外縁はケーシングの第１規格接続ポートと堅牢に嵌合し、その内縁は第２規格接続ポートであり、第２規格のコネクタと接続される。【選択図】　　図１
0003097123.tif 000002
【実用新案登録請求の範囲】
【請求項１】
光送受信器を異なる規格の光ファイバコネクタに接続するための光送受信器接続モジュールであり、第１規格コネクタと直接接続することができる第１規格接続ポートを備え、前記光送受信器の外カバーとなるケーシングと、内縁は第２規格コネクタが接続可能な第２規格接続ポートであり、外縁はケーシングの第１規格接続ポートと堅牢に嵌合されるアダプタとを備えていることを特徴とする、光送受信器接続モジュール。
【請求項２】
更に係合エレメントが備わり、前記第２規格接続ポートの対向する側から嵌入されるとともに、前記アダプタと相互に堅牢に嵌合されることを特徴とする、請求項１に記載の光送受信器接続モジュール。
【請求項３】
光送受信器を異なる規格の光ファイバコネクタに接続するための光送受信器接続モジュールであり、第１規格コネクタと直接接続することができる第１規格接続ポートを備え、第１ケーシング部品と第２ケーシング部品とで構成され、前記光送受信器の外カバーとなるケーシングと、内縁は第２規格コネクタが接続可能な第２規格接続ポートであり、外縁はケーシングの第１規格接続ポートと堅牢に嵌合されるアダプタとを備えていることを特徴とする、光送受信器接続モジュール。
【請求項４】
前記第１規格接続ポートの入力端には位置決め溝が備わり、前記アダプタ上には対応する位置決めブロックが設けられており、前記位置決め溝に嵌入されることを特徴とする、請求項３に記載の光送受信器接続モジュール。
【請求項５】
前記第１規格接続ポートの内縁の両側には相対する下溝が設けられており、前記アダプタ上には前記下溝に嵌入することができる底板が設けられていることを特徴とする、請求項３に記載の光送受信器接続モジュール。
【請求項６】
更に係合エレメントが備わり、前記第２規格接続ポートの対向する側から嵌入されるとともに、前記アダプタと相互に堅牢に嵌合されることを特徴とする、請求項３に記載の光送受信器接続モジュール。
【請求項７】
前記第１ケーシング部品の一端には前記第１規格接続ポートが設けられていることを特徴とする、請求項３に記載の光送受信器接続モジュール。
【請求項８】
前記第１規格接続ポートの外縁には凸ブロックが設けられており、前記第２ケーシング部品の一端には羽根片が延伸しており、前記羽根片上には前記凸ブロックに対応する嵌合孔が開設されていることを特徴とする、請求項７に記載の光送受信器接続モジュール。
【請求項９】
前記第１規格コネクタと前記第２規格コネクタに接続する光ケーブルに被覆されている複数の光ファイバはシングルモード光ファイバとマルチモード光ファイバとで構成される群から選択されることを特徴とする、請求項３に記載の光送受信器接続モジュール。
【請求項１０】
前記第１規格と前記第２規格はそれぞれＬＣ、ＳＣ、ＭＵ、ＳＴ、ＭＴＰ、ＦＪ、ＭＴ−ＲＪとＶＦ−４５などの規格で構成される群から組合せて選択されることを特徴とする、請求項１または３に記載の光送受信器接続モジュール。
【考案の詳細な説明】
【０００１】
【考案の属する技術分野】
本考案は、光ファイバ接続モジュールに関するものであり、特にＳＣ光送受信器とＳＣ及びＭＵ規格の光ファイバコネクタとの間に応用することができる接続構造に関するものである。
【０００２】
【従来の技術】
現在、市場に出回っている光送受信器（ｏｐｔｉｃａｌ　ｔｒａｎｓｃｅｉｖｅｒ）と光ファイバコネクタ（ｆｉｂｅｒ　ｃｏｎｎｅｃｔｏｒ）については、各業者が相互に異なる規格を制定しているため、規格が混乱し、相互に互換性がないという状況が発生している。言い換えると、各業者の光ファイバと光ファイバコネクタの型式は一対一（ｏｎｅ　ｂｙ　ｏｎｅ）の対応であり、Ｌｕｃｅｎｔ　Ｔｅｃｈ．社の前身であるベル・ラボラトリ（Ｂｅｌｌ　Ｌａｂ．）が開発したＬＣ（Ｌｕｃｅｎｔ　ｃｏｎｎｅｃｔ）、ＮＴＴ社のＭＵ（Ｍｉｎｉａｔｕｒｅ　Ｕｎｉｔ）や、北米市場で汎用されているＳＣ型などであり、前記いずれの型式の光ファイバコネクタもその他型式の光送受信器とは接続することができない。この問題の主な原因は市場競争の結果であり、業者は光送受信器の接続ポートを自社生産のコネクタ規格に適合するよう設計しなければ、市場占有率を向上させることができないからである。但し後端の光通信設備と光ファイバネットワークの構築など下流業者にとっては、極めて大きな困惑の種となっている。
【０００３】
光デバイス（ｏｐｔｉｃａｌ　ｄｅｖｉｃｅ）間の互換性を向上させるため、業者は異なる規格間のアダプタ（ａｄａｐｔｅｒ）製品を売り出している。例えばブルウィル（Ｂｕｌｌｗｉｌｌ）社のＭＳアダプタ（ＭＵ／ＳＣ　ａｄａｐｔｅｒ）であり、ＭＵとＳＣという２種類の型式を接続するためのコネクタである。しかし、コネクタがあっても、実際の応用面において相当に不便であることに変わりはない。例えば、ＳＣコネクタとＭＵ光送受信モジュールの場合には、両端にＭＵコネクタを備えた光ケーブル（ｏｐｔｉｃａｌ　ｃａｂｌｅ）と、アダプタを購入しなければ接続することができない。たとえ専門の光ファイバネットワーク技師であったとしても、煩瑣な作業によりＳＣコネクタを除去し、改めて光ケーブルの末端にＭＵコネクタを接続しなければならず、その前提となるのはＭＵコネクタの部品と、取付工具がすべて揃っていることである。従って、ローカルでの光ファイバネットワークを構築しようとする場合、特に光ファイバをデスクまで引く（Ｆｉｂｅｒ　ｔｏ　ｔｈｅ　Ｄｅｓｋ：ＦＴＴＤ）という目標を達成する際に、アダプタの役割は大きくないがコストは増加するのである。
【０００４】
【考案が解決しようとする課題】
上記の公知技術における問題点に対し、本考案の主な目的は光送受信器接続モジュールを提供することにあり、それはＳＣ光送受信器とＳＣ及びＭＵ規格の光ファイバコネクタとの間の接続に適用することができる。
【０００５】
【課題を解決するための手段】
上記目的を達成するため、本考案で提供されている光送受信器接続モジュールには、主に、同一規格コネクタと接続することができる第１規格接続ポートを備え、第１規格光送受信器の外カバーとなるケーシングと、その外縁はケーシングの第１規格接続ポートと堅牢に嵌合されており、その内縁は第２規格コネクタを接続可能な第２規格接続ポートであるアダプタとが備わっている。このようにして、第１規格光送受信器は第２規格の光ファイバコネクタと相互に接続することが可能となる。
【０００６】
本考案の特徴と実施に関し、以下では適正な実施例を挙げて図面に基づき詳細に説明する。
【０００７】
【考案の実施の形態】
先ず「図１」に示されているのは、本考案の適正な実施例で提供される光送受信器接続モジュール１００であり、ＳＣ光送受信器（ｏｐｔｉｃａｌ　ｔｒａｎｓｃｅｉｖｅｒ）をＳＣ規格及びＭＵ規格の光ファイバコネクタ（ｆｉｂｅｒ　ｃｏｎｎｅｃｔｏｒ）と接続するためのものである。前記光送受信器接続モジュール１００には光送受信器（図示せず）外カバーとしてのケーシング２００と、アダプタ３００と、係合エレメント４００とが備わっている。
【０００８】
そのうち、矩形ケーシング２００は、第１ケーシング部品２１０と第２ケーシング部品２２０とが組み合わされて構成されている。第１ケーシング部品２１０の先端（図示方向に基づき記述、以下同様）は完全なＳＣ接続ポート２３０であり、その先端の入力端上面には位置決め溝２３１が備わり、ＳＣ接続ポート２３０の内縁底部の両側には共に下溝２３２が設けられている。またＳＣ接続ポート２３０の後端上面には凸ブロック２３３が設けられており、ＳＣ接続ポート２３０のその他構造はほぼ公知の場合と同様であるため、改めては記述しない。第１ケーシング部品２１０の両側には上に伸びた２個の係合ほぞ２１１が備わり、その末端は鉤状となっており、第１ケーシング部品２１０の後端には２個の係合溝２１２が備わっている。第２ケーシング部品２２０の先端には前方に伸びた羽根片２２３が備わり、羽根片２２３上には嵌合孔２２４が開設されており、ＳＣ接続ポート２３０後端上面の凸ブロック２３３に嵌合される。第２ケーシング部品２２０の両側には第１ケーシング部品２１０の２個の係合ほぞ２１１と嵌合するための２か所の係合溝２２１が設けられており、第２ケーシング部品２２０の後端には下向きに第１ケーシング部品２１０の２か所の係合溝２１２に嵌入するための２個の係合ほぞ２２２が備わっている。
【０００９】
アダプタ３００について、本体は矩形の中空構造であり、その内縁はＭＵ接続ポート３１０であり、アダプタ３００内縁のその他構造はほぼ公知の場合と同様であるため、改めては記述しない。アダプタ３００の外縁両側には外に凸出した係合ブロック３２０が備わり、先端には側面板３３０が設けられ、底端水平方向の両側には底板３４０が延伸している。また上端には矩形に凸出した位置決めブロック３５０が設けられている。
【００１０】
係合エレメント４００について、その後端は穿孔４１０を備えた板体４２０であり、板体４２０の先端には平行に前に伸びた２個の係合アーム４３０が備わり、両係合アーム４３０の先端は相対する鉤状を呈している。
【００１１】
以上が本考案の適正な実施例における各部材の構造である。本考案をＭＵコネクタとの接続に応用した場合の組立方式は、「図２」と「図３」に示されている通りである。そこではアダプタ３００上端の位置決めブロック３５０がケーシング２００の第１ケーシング部品２１０のＳＣ接続ポート２３０の位置決め溝２３１に位置合わせし、底板３４０の両端がＳＣ接続ポート２３０の２か所の下溝２３２に位置合わせすることにより、アダプタ３００がケーシング２００の第１ケーシング部品２１０のＳＣ接続ポート２３０中に嵌入されており、係合エレメント４００はＳＣ接続ポート２３０の別の側に挿入されているとともに、その２個の係合アーム４３０の先端がアダプタ３００両側の係合ブロック３２０と噛み合って固結状態を形成している。最後に、光ケーブル５００先端のＭＵコネクタ５１０がアダプタ３００のＭＵ接続ポート３１０内に挿入される。実務的応用上では当然ながら光ケーブル５００中の光ファイバ５２０が係合エレメント４００の穿孔４１０から突出しているとともに、ケーシング２００中の光送受信器内の回路板上の光センサと連接されており、第２ケーシング部品２２０は第１ケーシング部品２１０と固結されている。しかし前記部分は本考案の重点ではないため、改めて記述はしない。
【００１２】
「図４」に示されているのは、本考案を同一規格のＳＣコネクタとの接続に応用した場合の組立方式であり、この場合、係合エレメントとアダプタは不要であり、直接ＳＣコネクタ６００の位置決めブロック６１０をＳＣ接続ポート２３０の位置決め溝２３１に位置合わせして挿入するだけでよい。その詳細な接続方式はほぼ公知の場合と同様であるため、ここでは改めて記述しない。
【００１３】
補足して説明しておかなければならない点は、実務上においてアダプタは位置決めブロック、底板により、ＳＣ接続ポートの位置決め溝、下溝と固結効果を発生するため、係合エレメントは絶対に必要ではない点である。また、係合エレメントを利用してアダプタとＳＣ接続ポートとの固結効果をより向上させる場合であっても、第１、第２ケーシング部品間の固結方式に倣い、例えばアダプタの両側面板上にそれぞれ嵌合溝を設置し（嵌合溝を元来の係合アームの位置に設置することもできる）、係合エレメントの係合アームを延伸させて嵌合溝内に嵌合させることや、また係合アームと嵌合溝の設置位置を相互に交替させることもできるが、両者間の嵌合固結構造は本考案の開示により限定するものではない。次に、第１、第２ケーシング部品を固結する方式は公知技術上に多くの選択があり、例えば係合溝と係合ほぞの位置を相互に交替させることや、また凸ブロックと嵌合孔の位置を相互に交替させることはすべて可能であるが、それも本実施例が提供する方式を限定するものではない。更に、シングルモード（ｓｉｎｇｌｅ−ｍｏｄｅ）光ファイバまたはマルチモード（ｍｕｌｔｉ−ｍｏｄｅ）光ファイバとであるかに拘らず本考案はともに適用することができる。
【００１４】
本考案の技術的構想の下で、異なる規格の光送受信器と光ファイバコネクタについて、本考案が公開する技術案がカバーするのは、光送受信器のケーシングに対応する第１規格接続ポートが、「嵌入式」のアダプタとして設計されており、前記アダプタの外縁はケーシングの第１規格接続ポートと嵌合固結され、その内縁は第２規格接続ポートであり、第２規格コネクタが接続可能であり、前記アダプタが取り外されても、同様に第１規格のコネクタを接続することができる点である。実務的には前記の第１または第２規格としては考案の背景において言及したＬＣ、ＳＣ、ＭＵ規格、及び市場におけるその他規格、例えばＳＴ、ＭＴＰ、ＦＪや、比較的最近の小型化されたＳＦＦ規格（Ｓｍａｌｌ−Ｆｏｒｍ−Ｆａｃｔｏｒ）規格、例えばＭＴ−ＲＪ（ＡＭＰ社）、ＶＦ−４５（３Ｍ社）から選択することが可能である。
【００１５】
以上の記述は、本考案における数個の適正実施例について述べたに過ぎず、それは本考案の実施範囲を限定するものではない。当業者が、本考案の精神と範囲を逸脱することなく実施した変更や修飾は、すべて本考案における実用新案登録請求の範囲でカバーされるべきものである。
【図面の簡単な説明】
【図１】本考案で提供されている光送受信器接続モジュールの適正実施例の立体システム図である。
【図２】本考案で提供されている光送受信器接続モジュールの適正実施例において、それをＭＵコネクタとの接合に応用した際の立体外観図である。
【図３】本考案で提供されている光送受信器接続モジュールの適正実施例において、それをＭＵコネクタとの接合に応用した際の局部断面見取図である。
【図４】本考案で提供されている光送受信器接続モジュールの適正実施例において、それをＳＣコネクタとの接合に応用した際の立体システム図である。
【符号の説明】
１００　　　光送受信器接続モジュール
２００　　　ケーシング
２１０　　　第１ケーシング部品
２１１　　　係合ほぞ
２１２　　　係合溝
２２０　　　第２ケーシング部品
２２１　　　係合溝
２２２　　　係合ほぞ
２２３　　　羽根片
２２４　　　嵌合孔
２３０　　　ＳＣ接続ポート
２３１　　　位置決め溝
２３２　　　下溝
２３３　　　凸ブロック
３００　　　アダプタ
３１０　　　ＭＵ接続ポート
３２０　　　係合ブロック
３３０　　　側面板
３４０　　　底板
３５０　　　位置決めブロック
４００　　　係合エレメント
４１０　　　穿孔
４２０　　　板体
４３０　　　係合アーム
５００　　　光ケーブル
５１０　　　ＭＵコネクタ
５２０　　　光ファイバ
６００　　　ＳＣコネクタ
６１０　　　位置決めブロック
【図１】
0003097123.tif 000003
【図２】
0003097123.tif 000004
【図３】
0003097123.tif 000005
【図４】
0003097123.tif 000006